(57)【特許請求の範囲】
【請求項１】
外箱及び内箱間に断熱材が充填されて成る断熱箱体と、前記内箱に対して間隔を空けて設けられた区画板と、この区画板と内箱とによって形成された冷気通路と、前記断熱箱体の庫内を上下に仕切る仕切部材と、この仕切部材の上側に形成される貯蔵室と、前記仕切部材の下側に形成され、蓄冷剤を冷却するための冷却器が収納される冷却室とを備えた冷却貯蔵庫において、前記冷却器と蓄冷剤とは複数のアルミニウム製の箱に一緒にそれぞれ収納され、前記冷気通路内には庫内の冷気を循環するための冷気循環用送風機が設けられると共に、前記貯蔵室の下部には前記貯蔵室の冷気を攪拌するための攪拌用送風機が設けられ、前記冷却器で蓄冷剤を冷却するときは、前記冷気循環用送風機と前記冷気循環用送風機とを停止し、前記蓄冷剤で前記貯蔵室を冷却するときは、前記冷気循環用送風機と前記冷気循環用送風機とを運転し、貯蔵室の温度が所定温度より低いときは、冷気循環用送風機を停止し、攪拌用送風機を運転することを特徴とする冷却貯蔵庫。
【発明の詳細な説明】
【０００１】
【発明の属する技術分野】
本発明は、庫内に商品を冷却して貯蔵する冷却貯蔵庫に関し、特に、冷凍機で蓄冷剤を冷凍した後、トラック等で運搬され、この運搬中は冷凍された蓄冷剤により庫内が冷却されている可搬式の冷却貯蔵庫に関するものである。
【０００２】
【従来の技術】
従来この種のトラック等で運搬される貯蔵庫は、たとえば特開平９−１２６６２５号公報などに記載されており、可搬式の冷却貯蔵庫の内部に、蓄冷剤と、この蓄冷剤を冷凍させる冷凍機とを配設している。
【０００３】
かかる可搬式の冷却貯蔵庫は、配送センターや店舗等の電源に接続し、内蔵している冷凍機を駆動して、蓄冷剤を冷凍し蓄冷する。この蓄冷剤の蓄冷が完了した後、庫内に冷蔵品等の商品を収容し、冷却貯蔵庫をトラックに搭載する。冷却貯蔵庫がトラックで運搬されているときは、冷却貯蔵庫の庫内を蓄冷剤で冷却しながら、冷却貯蔵庫に貯蔵されている商品を店舗等へ配送したり宅配を行う。商品の配送等が終了すると、トラックは配送センター等に帰ってきて、冷却貯蔵庫をトラックから降ろし、冷却貯蔵庫の冷凍機を配送センター等の電源に接続する。この接続により、冷凍機が再び駆動し、次回の配送等に備えて、蓄冷剤が冷却される。
【０００４】
かかる可搬式の冷却貯蔵庫の断熱箱体は、一面に開口を有するステンレス鋼板等からなる内箱と、同様に一面に開口を有するステンレス鋼板等からなる外箱との間にウレタンフォーム等の断熱材を充填したものであり、断熱箱体の内側は、仕切部材により下部の冷却室と上部の貯蔵室とに仕切られている。
【０００５】
【発明が解決しようとする課題】
しかしながら、かかる可搬式の冷却貯蔵庫においては、下部の蓄冷剤を収容している冷却室が蓄冷剤により直接冷却されている一方で、上部の貯蔵室は直接的に蓄冷剤によっては冷却されていない。そのため、冷気通路に配設されている冷気循環用送風機によって庫内の冷気を循環させても、商品の収容している状態により商品温度のバラツキは大きい。更に、下部の冷却室の内箱は、冷却室に置かれている蓄冷剤によって冷却されており、このため、貯蔵室の下部、特に、仕切部材付近の内箱表面付近に置かれた商品は冷却室の内箱を介して吸熱され、特に、冷蔵品、野菜や果物類等の場合には、商品の凍結や低温障害により、販売できないと言う事態も生じていた。
【０００６】
本発明は、以上のような技術的課題を解決するためになされたもので、貯蔵室に置かれた商品が、蓄冷剤によって冷却された内箱を介して冷却され過ぎる事態を回避できる可搬式の冷却貯蔵庫を提供することを目的とする。
【０００７】
【課題を解決するための手段】
本発明の冷却貯蔵庫は、外箱及び内箱間に断熱材が充填されて成る断熱箱体と、前記内箱に対して間隔を空けて設けられた区画板と、この区画板と内箱とによって形成された冷気通路と、前記断熱箱体の庫内を上下に仕切る仕切部材と、この仕切部材の上側に形成される貯蔵室と、前記仕切部材の下側に形成され、蓄冷剤を冷却するための冷却器が収納される冷却室とを備えた冷却貯蔵庫において、前記冷却器と蓄冷剤とを複数のアルミニウム製の箱に一緒にそれぞれ収納し、前記冷気通路内には庫内の冷気を循環するための冷気循環用送風機が設けられると共に、前記貯蔵室の下部には前記貯蔵室の冷気を攪拌するための攪拌用送風機が設けられ、前記冷却器で蓄冷剤を冷却するときは、前記冷気循環用送風機と前記冷気循環用送風機とを停止し、前記蓄冷剤で前記貯蔵室を冷却するときは、前記冷気循環用送風機と前記冷気循環用送風機とを運転し、貯蔵室の温度が所定温度より低いときは、冷気循環用送風機を停止し、攪拌用送風機を運転するものである。
【０００８】
本発明によれば、箱に蓄冷剤と冷却器とを収納することで、冷却器と蓄冷剤とを一体に形成され、冷却集合体を小さくでき、冷却器を停止しているときには前記冷気通路内には庫内の冷気を循環するための冷気循環用送風機が設けられると共に、前記貯蔵室の下部には前記貯蔵室の冷気を攪拌するための攪拌用送風機が設けられているので、攪拌用送風機により貯蔵室の下部に溜まった冷気が攪拌されるため、貯蔵室に置かれた商品温度を均一化することができる。
【０００９】
また、貯蔵室の温度が所定温度より低いときは、冷気循環用送風機を停止し、攪拌用送風機を運転するので、低温で密度が高いため貯蔵室内の下部に溜まり易い冷気を攪拌し、貯蔵室内の冷気を均一化することができる。
【００１０】
【発明の実施の形態】
次に、本発明にかかる可搬式の冷却貯蔵庫を詳細に説明する。図１は本発明にかかる可搬式の冷却貯蔵庫の斜視図、図２は本発明にかかる可搬式の冷却貯蔵庫の側断面図、図３は図２の可搬式の冷却貯蔵庫の蓄冷部の要部斜視図、図４は図２のＡ部詳細図、図５は仕切部材を示す一部切欠斜視図である。
【００１１】
可搬式の冷却貯蔵庫１の断熱箱体２の下部には、キャスター３が設けられており、可搬式の冷却貯蔵庫１を移動することができる。
【００１２】
断熱箱体２は、ステンレス鋼板製の外箱４と内箱５との間にウレタンフォーム等の断熱材６を充填して構成される。
【００１３】
可搬式の冷却貯蔵庫１の庫内８は、後述の仕切部材９によって、下部の冷却室１０と上部の貯蔵室１１とに仕切られている。断熱箱体２の前面には貯蔵室１１に商品を出し入れするための開口１２が形成され、断熱材によって構成された前面扉１３により開閉自在に閉塞される。
【００１４】
断熱箱体２の上方には圧縮機１４や凝縮器１５が配設されている。断熱箱体２の下部の冷却室１０には、蓄冷剤１６と冷却器１７とを接触又は離間させ複数のアルミニウム製の箱１８に収納した冷却集合体１９が配置されている。この冷却集合体１９の冷却器１７は圧縮機１４および凝縮器１５とともに冷凍サイクルすなわち冷凍機を構成しており、冷凍機が稼働すると、冷却集合体１９の冷却器１７が低温となり、蓄冷剤１６を冷却して蓄冷する。
【００１５】
冷却集合体１９の上面には、仕切部材９が載置されており、これによって、庫内８は、前述の如く、下部の冷却室１０と上部の貯蔵室１１とに仕切られている。仕切部材９は、アルミニウム板製の上板２１とスチロール樹脂を真空成型により成型した下板２２との間に断熱材２３であるウレタンフォームが充填されたものである。上板２１は下方が開口した箱状のもので、側面には左右側部２１Ａ及び後面側部２１Ｂがそれぞれ形成されており、左右側部２１Ａは内箱５に、後面側部２１Ｂは後述の区画板２４にそれぞれ当接している。また、上板２１の下面には塩化ビニル樹脂で被覆されアルミニウムシートに接着された仕切部材ヒータ２０が設けられている。
【００１６】
貯蔵室１１の後方には、内箱５と所定の距離を空けてアルミニウム板製の区画板２４が設けられている。区画板２４と内箱５との間には、冷気通路２５が形成され、この冷気通路２５の上部は貯蔵室１１上部と連通し、冷気通路２５の下部は冷却室１０と連通している。区画板２４の下部には前方に折り曲げられた支持部２４Ａが形成され、仕切部材９を支持している。また、この区画板２４の裏面にも、塩化ビニル樹脂で被覆されアルミニウムシートに貼付された区画板ヒータ２９が配設されている。
【００１７】
貯蔵室１１の上部には、冷気循環用送風機２６が配置されており、この冷気循環用送風機２６が回転すると、冷気通路２５の冷気は冷気通路２５上部の吐出口２８から貯蔵室１１内に吐出される。そして、仕切部材９の前方の吸込口２７から貯蔵室１１の空気を吸い込んで、冷却集合体１９で冷却されつつ冷却集合体１９を通過する。その後、冷却集合体１９の後方から冷気通路２５を上昇し、冷気循環用送風機２６を通過する。この様に冷気循環用送風機２６により庫内８の空気は循環され、貯蔵室１１は冷却集合体１９により冷却される。
【００１８】
貯蔵室１１の下部後方には、上記の冷気循環用送風機２６とは別個に、攪拌用送風機３０が配置されており、この攪拌用送風機３０が回転することにより、貯蔵室１１内の冷気が攪拌される。尚、この攪拌用送風機３０は、配送等を行っている間は、貯蔵室１１に収容している商品の所定温度に合わせて運転又は停止されて冷気循環用送風機２６とは別個に貯蔵室１１内の冷気を攪拌している。
【００１９】
すなわち、冷蔵品、野菜や果物等の如く凍結したり低温障害を起こすことにより商品価値が著しく低下する商品を貯蔵室１１に収容している場合において、貯蔵室１１の温度が所定温度より低いときは、冷気循環用送風機２６を停止し、攪拌用送風機３０を運転して、低温で密度が高いため貯蔵室１１内の下部に溜まり易い冷気を攪拌し、貯蔵室１１内の冷気を均一化する。
【００２０】
一方、貯蔵室１１の温度が所定温度より高いときは、冷気循環用送風機２６を運転して庫内８（冷却室１０及び貯蔵室１１）の冷気を循環させて、貯蔵室１１内の商品を冷却する。尚、このときは、攪拌用送風機３０は運転又は停止のいずれでも良いが、攪拌用送風機３０を運転して貯蔵室１１内を攪拌した方がより貯蔵室１１内に置かれた商品の温度を均一化することができる。
【００２１】
尚、前面扉１３が開放されたときは、冷気循環用送風機２６と攪拌用送風機３０とは停止し、貯蔵室１１内からの冷気の漏洩を防止する。
【００２２】
以上の如き可搬式の冷却貯蔵庫１が配送センター等に保管されているときは、配送センター等の電源に可搬式の冷却貯蔵庫１の図示しない電源コードを接続することにより、冷凍機が運転し、冷却集合体１９の冷却器１７が冷却され、この冷却器１７によって蓄冷剤１６が冷却される。そして、蓄冷剤１６の温度が、約−２２℃（凝固点）よりも低下すると、蓄冷剤１６は凍結を開始し、潜熱変化を始める。この潜熱変化の際は、蓄冷剤１６の温度は緩慢には低下するが、長時間にわたって殆ど変化しない。そして、蓄冷剤１６の温度が約−２７℃になると蓄冷剤１６は凍結を略完了し、潜熱変化を終える。この潜熱変化を終えると、蓄冷剤１６の温度は再び低下を開始し、顕熱変化をする。そして、蓄冷剤１６の温度が約−３２℃に達すると、蓄冷剤１６の蓄冷が完了し、冷凍機の運転を停止する。尚、かかる蓄冷運転中は、攪拌用送風機３０と冷気循環用送風機２６とは運転しない。
【００２３】
この様にして冷却された可搬式の冷却貯蔵庫１に商品を収納し、かつ、配送センター等の電源から可搬式の冷却貯蔵庫１の電源コードを外して、可搬式の冷却貯蔵庫１をトラックに搭載して、配送等を行う。配送等を行っている間は、冷気循環用送風機２６、攪拌用送風機３０、仕切部材ヒータ２０及び区画板ヒータ２９等には可搬式の冷却貯蔵庫１に内蔵されているバッテリーから電力が供給される。商品の配送等を終えて、トラックが配送センター等に戻ってくると、トラックから可搬式の冷却貯蔵庫１を降ろし、再度、配送センター等の電源に可搬式の冷却貯蔵庫１の電源コードを接続して、電力を供給して蓄冷を行う。
【００２４】
そして、通常の運行状態では、蓄冷剤１６が約−２７℃から約−２２℃の温度範囲にあるとき（およそ４時間から５時間）に、トラックは配送センター等に帰ってくる。
【００２５】
このように、配送等を行っている間は、冷却器集合体１９の温度は約−２７℃から約−２２℃の温度範囲となるので、貯蔵室１１内に、例えば、冷蔵品（適温約５℃前後）を収納している場合には、その温度差は約３０℃に達しており、蓄冷剤により冷却される内箱５や区画板２４を介して貯蔵室１１下部に置かれた商品から吸熱が行われる。そのため、冷気循環用送風機２６の運転又は停止を行って貯蔵室１１内の温度調節をしても、貯蔵室１１内の上部や中央部の商品は適温であるが冷却室１０に近い貯蔵室１１下部の商品は、内箱５や区画板２４により吸熱されて、冷却され過ぎ、ときには商品が凍結又は低温障害を起こすという事態が起こり得る。
【００２６】
そこで、本実施の形態では次に述べるように、上記の冷却され過ぎるという事態を回避している。
【００２７】
すなわち、蓄冷剤１６により内箱５が冷却されていても、仕切部材９の上板２１は、この上板２１の下面に設けられた仕切部材ヒータ２０により暖められているので、貯蔵室１１下部に置かれた商品、特に、仕切部材９付近に置かれた商品が内箱５を介して吸熱されることによって生じる商品の冷えムラや冷え過ぎを回避し、商品の凍結や低温障害を防止することができる。
【００２８】
また、仕切部材ヒータ２０によって仕切部材９が暖められると、上板２１の左右側部２１Ａ及び後面側部２１Ｂにそれぞれ当接している内箱５及び区画板２４に熱が伝達され、これにより、内箱５や区画板２４の温度が上昇するので、貯蔵室１１内に置かれた商品、特に、内箱５付近や区画板２４付近に置かれた商品の冷え過ぎを回避し、商品の凍結や低温障害を防止することができる。
【００２９】
次に、区画板２４の裏面には区画板ヒータ２９が設けられているので、この区画板ヒータ２９によって区画板２４の温度が上昇し、これによって、貯蔵室１１内に置かれた商品、特に、区画板２４付近に置かれた商品の冷え過ぎを回避し、商品の凍結や低温障害を防止することができる。
【００３０】
また、区画板ヒータ２９によって区画板２４が暖められると、上板２１に設けられた後面側部２１Ｂがこの区画板２４に当接しているため、上板２１に熱が伝達され、これにより、仕切部材９の上板２１の温度が上昇するため、貯蔵室１１の下部に置かれた商品の冷え過ぎを回避し、商品の凍結や低温障害を防止することができる。
【００３１】
さらに、貯蔵室１１の設定温度に対応して、仕切部材ヒータ２０又は区画板ヒータ２９に適正に通電することにより、貯蔵室１１内の商品が適正に暖められて商品の冷え過ぎを回避し、商品の凍結や低温障害を防止することができる。
【００３２】
尚、上記仕切部材ヒータ２０及び区画板ヒータ２９はそれぞれ単独でも貯蔵室１１内下部に置かれた商品の冷え過ぎを回避することができるが、これらが共に用いられた場合には、かかる商品の冷え過ぎを回避する効果がより一層期待できる。
【００３３】
次に、冷気循環用送風機２６と別個に攪拌用送風機３０を設けたので、この攪拌用送風機３０を個別に運転又は停止させることにより、貯蔵室１１内の冷気を攪拌して、商品の冷えムラや冷え過ぎを回避し、商品の凍結や低温障害を防止することができる。
【００３４】
また、攪拌用送風機３０自体は運転に伴なって発熱するので、熱源としても機能し、貯蔵室１１が暖められつつ貯蔵室１１内の冷気が攪拌されることになり、商品の冷えムラや冷え過ぎを回避し、商品の凍結や低温障害を一層防止することができる。
【００３５】
さらに、貯蔵室１１の設定温度に対応して、攪拌用送風機３０を適正に運転又は停止させることにより、貯蔵室１１内の冷気を攪拌して、商品の冷えムラや冷え過ぎを回避し、商品の凍結や低温障害を防止することができる。
【００３６】
尚、攪拌用送風機３０は単独でも貯蔵室１１内下部に置かれた商品の冷えムラや冷え過ぎを回避することができるが、上記仕切部材ヒータ２０及び区画板ヒータ２９と共に用いられた場合には、かかる商品の冷えムラや冷え過ぎを回避し、商品の凍結や低温障害を一層防止することができる。
【００３７】
【発明の効果】
以上詳述した如く、本発明によれば、蓄冷剤と冷却器とを箱内に収納するので、蓄冷剤と冷却器のよる冷却室の容積を小さくさせられ、その分貯蔵室の容積を大きくできると共に、冷気循環用送風機と冷気循環用送風機とを停止させて蓄冷剤への蓄熱を行うことで、蓄冷剤への蓄熱が効率的に行われ、かつ、貯蔵室の温度が低いときに冷気循環用送風機を停止し、攪拌用送風機を運転するため、蓄冷剤の無駄な浪費や貯蔵室内の冷気の均一化を図ることができる。
【図面の簡単な説明】
【図１】  本発明にかかる可搬式の冷却貯蔵庫の斜視図である。
【図２】  本発明にかかる可搬式の冷却貯蔵庫の側断面図である。
【図３】  図２の可搬式の冷却貯蔵庫の要部斜視図である。
【図４】  図２のＡ部詳細図である。
【図５】  仕切部材を示す斜視図である。
【符号の説明】
１  可搬式の冷却貯蔵庫
５  内箱
９  仕切部材
１０  冷却室
１１  貯蔵室
１６  蓄冷剤
１７  冷却器
１９  冷却集合体
２０  仕切部材ヒータ
２４  区画板
２５  冷気通路
２６  送風機
２９  区画板ヒータ
３０  攪拌用送風機
【図１】
0004121243.tif 000002
【図２】
0004121243.tif 000003
【図３】
0004121243.tif 000004
【図４】
0004121243.tif 000005
【図５】
0004121243.tif 000006